(57)【要約】      （修正有）【課題】ホッパー内に供給する加熱ガスの熱損失を低減し得るとともに、省電力化を図り得る粉粒体材料の乾燥装置を提供する。【解決手段】粉粒体材料が貯留されるホッパー２０と、該ホッパー内に加熱したガスを供給する加熱ガス供給部３とを備えた粉粒体材料の乾燥装置１であって、前記加熱ガス供給部は、ガスが供給されるガス受入口を一端に有するとともに、他端が前記ホッパー内に連通された細長状のガス通気路３１と、このガス通気路内に当該ガス通気路に沿って配された線状ヒーターとを備えている。【選択図】図１
2011185528.tif 000002
【特許請求の範囲】
【請求項１】
粉粒体材料が貯留されるホッパーと、該ホッパー内に加熱したガスを供給する加熱ガス供給部とを備えた粉粒体材料の乾燥装置であって、
前記加熱ガス供給部は、ガスが供給されるガス受入口を一端に有するとともに、他端が前記ホッパー内に連通された細長状のガス通気路と、このガス通気路内に当該ガス通気路に沿って配された線状ヒーターとを備えていることを特徴とする粉粒体材料の乾燥装置。
【請求項２】
請求項１において、
前記ホッパー内に供給されるガスの温度を検出する温度センサと、この温度センサの検出温度に基づいて、該ホッパー内に供給されるガスの温度が予め設定された所定温度となるように、前記線状ヒーターを制御する制御部とを更に備えていることを特徴とする粉粒体材料の乾燥装置。
【請求項３】
請求項１または２において、
前記ガス通気路は、螺旋状に形成されていることを特徴とする粉粒体材料の乾燥装置。
【請求項４】
請求項３において、
前記ガス通気路は、前記ホッパーの外周に周方向に沿って螺旋状に設けられていることを特徴とする粉粒体材料の乾燥装置。
【請求項５】
請求項３において、
前記ガス通気路は、管状部材を螺旋状に屈曲させた螺旋状管路ユニットとされていることを特徴とする粉粒体材料の乾燥装置。
【請求項６】
請求項１乃至５のいずれか１項において、
前記ガス通気路の他端は、ホッパー下端部のすり鉢状の内周壁に開口しており、該内周壁には、該開口を覆うとともに、該開口から吐出されたガスを分散させる多孔板が、該内周壁に沿うように設けられていることを特徴とする粉粒体材料の乾燥装置。
【請求項７】
請求項１乃至５のいずれか１項において、
前記加熱ガス供給部は、前記ホッパー内の略中央に上下に設けられ、前記ガス通気路の他端が接続されたガス通気管と、このガス通気管の下端部に設けられたガス吐出口とを更に備えていることを特徴とする粉粒体材料の乾燥装置。
【発明の詳細な説明】
【技術分野】
【０００１】
本発明は、粉粒体材料が貯留されるホッパーと、該ホッパー内に加熱したガスを供給する加熱ガス供給部とを備えた粉粒体材料の乾燥装置に関する。
【背景技術】
【０００２】
従来の粉粒体材料の乾燥装置としては、シーズヒーターやパイプヒーター等の発熱体をボックス状の加熱部内に配置したヒーターボックスを、ホッパーへのガス導入管路に接続した構成とされている（例えば、下記特許文献１参照）。
このような乾燥装置においては、ブロワー等の送風手段を駆動して、上記ヒーターボックス内に外気などのガスを導入し、該ヒーターボックス内において発熱体と熱交換をさせて昇温させた加熱ガスをホッパー内に導入し、ホッパー内に貯留された粉粒体材料を加熱乾燥する構成とされていた。
【先行技術文献】
【特許文献】
【０００３】
【特許文献１】特開平９−２９２１７６号公報
【発明の概要】
【発明が解決しようとする課題】
【０００４】
しかしながら、上記構成とされた乾燥装置では、ボックス状の加熱部内においてガスとの熱交換を行う構成とされているので、ヒーターボックス自体が大型化し、ホッパーのガス導入口の近くに設置することが困難な場合があった。この結果、熱損失が大きくなるという問題があった。
また、ヒーターボックス内の発熱体の損傷を防止するために、ヒーターボックス内には、比較的、大風量のガスを導入する必要があり、省電力化の観点から改善が望まれていた。すなわち、ヒーターボックス内に導入されたガスが小風量であれば、そのガスが発熱体の全体に均一に接触せず、つまり、全体との熱交換がなされず、該発熱体の一部に接触して短絡経路を辿るようにして導出されることが考えられ、この結果、該発熱体に局所的な過熱が生じる場合がある。そのため、比較的、大風量のガスを導入する必要があった。
【０００５】
本発明は、上記実情に鑑みなされたものであり、ホッパー内に供給する加熱ガスの熱損失を低減し得るとともに、省電力化を図り得る粉粒体材料の乾燥装置を提供することを目的としている。
【課題を解決するための手段】
【０００６】
前記目的を達成するために、本発明に係る粉粒体材料の乾燥装置は、粉粒体材料が貯留されるホッパーと、該ホッパー内に加熱したガスを供給する加熱ガス供給部とを備えた粉粒体材料の乾燥装置であって、前記加熱ガス供給部は、ガスが供給されるガス受入口を一端に有するとともに、他端が前記ホッパー内に連通された細長状のガス通気路と、このガス通気路内に当該ガス通気路に沿って配された線状ヒーターとを備えていることを特徴とする。
【０００７】
上記構成とされた本発明では、細長状のガス通気路と、このガス通気路内に当該ガス通気路に沿って配された線状ヒーターとを有した加熱ガス供給部を備えているので、ホッパー内に供給されるガスを効率的に加熱することができる。つまり、細長状のガス通気路内を通過するガスと線状ヒーターとが効率的に接触し、これらの熱交換が、例えば、シーズヒーターやプレートヒーター、放熱フィン付ヒーター等の発熱体を内蔵したヒーターボックス等の加熱器と比べて効率的になされ、該ガスを効率的に加熱することができる。
このように、加熱効率を向上させることができるので、例えば、上記ヒーターボックス等の加熱器と比べて電気容量を比較的、小さいものにでき、省電力化を図ることができる。
また、従来のボックス型の加熱器では、加熱器の筺体自体が大型化し、このボックス型の加熱器からホッパーのガス導入口までのガス経路が比較的、長くなる傾向がある。一方、上記構成とされた本発明によれば、細長状のガス通気路内に線状ヒーターを配置した構造としているので、ガス通気路の設置自由度を高めることができ、当該ガス通気路の末端（他端）をホッパーのガス導入口付近に設置、または該末端をガス導入口に接続することができる。従って、熱損失を低減することができる。
【０００８】
ここに、上記粉粒体材料は、粉体・粒体状の材料を指すが、微小薄片状や短繊維片状、スライバー状の材料等を含み、その材料としては、合成樹脂材等の樹脂ペレットや樹脂繊維片等、または金属材料や半導体材料、木質材料、薬品材料、食品材料等、加熱乾燥処理が必要な材料が挙げられる。
【０００９】
本発明においては、前記ホッパー内に供給されるガスの温度を検出する温度センサと、この温度センサの検出温度に基づいて、該ホッパー内に供給されるガスの温度が予め設定された所定温度となるように、前記線状ヒーターを制御する制御部とを更に備えたものとしてもよい。
このような構成とすれば、温度センサの検出温度に基づいて、所定温度となるように加熱したガスをホッパー内に導入させることができ、ホッパー内の粉粒体材料を効率的に加熱することができる。
また、細長状のガス通気路内を通過するガスを線状ヒーターによって加熱する構成としているので、比較的、応答性を高めることができ、温度コントロールの安定性を高めることができる。つまり、上記ガス通気路内を通過する加熱対象であるガスを加熱するための発熱体が線状であるので、発熱体自体の熱容量が比較的、小さくなり、発熱体自体の昇温または降温が比較的、迅速になされる。この結果、細長状のガス通気路内を通過するガスの流量の増減がなされるような場合や、外気温の変動、その他の外乱による出口側（ホッパー側）のガスの温度に変動が生じるような場合にも、その増減や変動に伴って、当該線状ヒーターへの通電制御がなされることによる加熱ガス供給部の出口側におけるガスの温度を、比較的、迅速に所定の温度に追従させることができる。つまり、オーバーシュートやアンダーシュートなどが生じ難くなり、ホッパー内に供給される加熱したガスの温度を、比較的、安定した温度にコントロールすることができる。従って、ホッパー内の粉粒体材料が過熱されたり、粉粒体材料に加熱不足が生じたりし難く、効率的な加熱乾燥処理を実行することができる。
【００１０】
また、本発明においては、前記ガス通気路を、螺旋状に形成するようにしてもよい。
このような構成とすれば、ホッパー内に供給されるガスを効率的に加熱することができるとともに小型化を図ることができる。つまり、例えば、直管状に形成されたガス通気路と比べて、螺旋状のガス通気路による乱流作用等によってガスと線状ヒーターとの接触効率を向上させることができるとともに、効率的に小型化を図ることができる。また、例えば、ジグザグ状に形成されたガス通気路と比べて、ガス通気路を螺旋状に形成することで、圧力損失を低減することができる。
【００１１】
また、本発明においては、前記ガス通気路を、前記ホッパーの外周に周方向に沿って螺旋状に設けるようにしてもよい。
このような構成とすれば、ガス通気路に沿って配された線状ヒーターを、ホッパーの外周を保温乃至は加熱する加熱手段として兼用させることができる。これにより、ホッパー内に貯留された粉粒体材料をより効率的に加熱乾燥することができ、例えば、別途、ホッパーの外周を加熱するヒーターを設ける場合と比べて、省電力化を図ることができる。
また、ホッパー内に供給するガスを加熱する加熱手段が、ホッパーに極めて近接した位置となり、熱損失をより効果的に低減することができる。
【００１２】
また、本発明においては、前記ガス通気路を、管状部材を螺旋状に屈曲させた螺旋状管路ユニットとしてもよい。
このような構成とすれば、ガス通気路を効率的に小型化でき、当該螺旋状管路ユニットを、前記ホッパーの近傍に付設させるように設置することができる。従って、熱損失の低減を図ることができるとともに、メンテナンス性を向上させることができる。
【００１３】
また、本発明においては、前記ガス通気路の他端を、ホッパー下端部のすり鉢状に形成された内周壁に開口させ、該内周壁に、該開口を覆うとともに、該開口から吐出されたガスを分散させる多孔板を、該内周壁に沿うように設けてもよい。
このような構成とすれば、ガス通気路の他端の開口から分散させてホッパー内に加熱したガスを導入させることができる。
【００１４】
また、本発明においては、前記加熱ガス供給部を、前記ホッパー内の略中央に上下に設けられ、前記ガス通気路の他端が接続されたガス通気管と、このガス通気管の下端部に設けられたガス吐出口とを更に備えたものとしてもよい。
このような構成とすれば、ホッパー内に上下に設けられたガス通気管を経て、ホッパー内の下端部から加熱されたガスをホッパー内に供給することができる。
また、ホッパー内の粉粒体材料を、ガス吐出口から吐出された加熱ガスによって加熱することができるとともに、当該ガス通気管の外周からの伝熱によっても加熱することができる。
【００１５】
また、本発明においては、上記加熱ガス供給部に、ホッパー内へ供給するガスの流量を調整する流量調整部を設けるようにしてもよい。この場合、ホッパー内における粉粒体材料の加熱乾燥処理状態を示す所定の制御要因を検出するための検出手段を設け、この検出手段の検出値に基づいて上記制御部によって上記流量調整部を制御し、当該装置によってなされる粉粒体材料の加熱乾燥処理に適した流量となるように供給する加熱ガスの流量を増減させるようにしてもよい。例えば、上記加熱ガスを供給しながら、上記検出手段の検出値が予め設定された所定の閾値を上回ったときには、加熱ガスの流量を減少させ、この検出値が上記閾値を下回ったときには、加熱ガスの流量を増加させるように上記流量調整部を制御するようにしてもよい。
上記制御要因としては、ホッパー内の粉粒体材料が加熱乾燥処理されるに従って変動する種々の物理量が挙げられ、例えば、時間、温度、湿度（露点）等が挙げられる。そして、これら制御要因を検出する検出手段としては、これら物理量の変動を検出可能なものとすればよい。
【００１６】
また、本発明においては、上記加熱ガス供給部を、圧縮空気源からのガスを貯留するガス貯留部と、このガス貯留部と前記ホッパーとを連通させる管路に設けられた開閉弁と、該管路を通過したガスを前記ホッパー内の下端部に導入させるガス導入口とを備えたものとし、上記制御部によって、上記開閉弁を開放させ、上記ガス貯留部のガスを上記ホッパー内に瞬発的に導入させて該ホッパー内を急昇圧させるようにしてもよい。
【発明の効果】
【００１７】
本発明に係る粉粒体材料の乾燥装置は、上述のような構成としたことで、ホッパー内に供給する加熱ガスの熱損失を低減することができるとともに、省電力化を図ることができる。
【図面の簡単な説明】
【００１８】
【図１】本発明に係る粉粒体材料の乾燥装置の一実施形態を模式的に示す概略構成図である。
【図２】（ａ）は、図１におけるＸ−Ｘ線矢視に対応させた一部破断概略平面図、（ｂ）は、同乾燥装置のホッパー下部を模式的に示す一部破断概略分解側面図である。
【図３】（ａ）〜（ｃ）は、いずれも本発明に係る粉粒体材料の乾燥装置の他の実施形態を模式的に示し、（ａ）は、概略構成図、（ｂ）は、同乾燥装置が備える加熱ガス供給部を模式的に示す概略構成図、（ｃ）は、同加熱ガス供給部の熱交換器を模式的に示す概略正面図である。
【図４】本発明に係る粉粒体材料の乾燥装置に適用される加熱ガス供給部の一変形例を模式的に示す概略断面図である。
【図５】（ａ）〜（ｃ）は、いずれも本発明に係る粉粒体材料の乾燥装置に適用される加熱ガス供給部の一変形例をそれぞれ模式的に示す概略構成図、（ｄ）は、本発明に係る粉粒体材料の乾燥装置に適用されるガス導入口の一変形例を模式的に示す一部破断概略拡大縦断面図である。
【図６】（ａ）、（ｂ）は、いずれも本発明に係る粉粒体材料の乾燥装置の更に他の実施形態をそれぞれ模式的に示す概略構成図である。
【発明を実施するための形態】
【００１９】
以下に、本発明の実施の形態について、図面を参照しながら説明する。
図１及び図２は、第１実施形態に係る粉粒体材料の乾燥装置を説明するための説明図である。
なお、図１，図３〜図６においては、ガスや粉粒体材料を流通させる管路（ガス管路、粉粒体材料輸送管路など）の一部を、実線にて模式的に示している。
また、図２（ｂ）では、後記する断熱材２６の図示を省略している。
【００２０】
図例の粉粒体材料の乾燥装置１は、図１に示すように、粉粒体材料が貯留される貯留槽としてのホッパー本体２０を備えたホッパー部２と、このホッパー本体２０内に加熱したガスを供給する加熱ガス供給部３と、制御盤８とを備えている。
ホッパー部２の投入側（上方側）には、材料投入部５が設けられ、ホッパー部２の排出側（下方側）には、材料排出部６が設けられている。
また、図例では、当該乾燥装置１は、フレーム状に枠組みされるとともに、下部にキャスターを有した機台９に設置されている。
【００２１】
ホッパー部２のホッパー本体２０は、ステンレスやアルミニウム等の金属材料等で製され、上部が円筒形状、下部が逆円錐形状とされており、このホッパー本体２０の下端部には材料排出管２０ａが連成されている。
ホッパー本体２０の内方空間の下方側部位には、貯留した粉粒体材料を下部側（下層側）から順にスムーズに排出させるための整流部としての円錐形状の先入れ先出し傘２０ｂが設けられている。
また、逆円錐形状とされた下部の内周壁は、すり鉢状に形成されており、その下部内周壁には、加熱ガス供給部３を経て加熱されたガスをホッパー本体２０内へ導入するためのガス導入口としての内周壁開口２１が設けられている（図２（ａ）も参照）。この内周壁開口２１は、下部内周壁の下端近傍、つまり材料排出管２０ａの近傍に設けられている。
【００２２】
また、この下部内周壁には、図２（ａ）に示すように、内周壁開口２１を覆うとともに、下部内周壁に沿うように多孔板２２が設けられている。この多孔板２２には、多数の通気孔２２ａが開設されており、これら通気孔２２ａは、ガスの流通が可能で、ホッパー本体２０内に貯留される粉粒体材料の通過を阻止する孔径とされている。
内周壁開口２１からホッパー本体２０内に吐出、供給された加熱ガスは、この多孔板２２によって、ホッパー本体２０内に分散して供給される。つまり、内周壁開口２１から吐出された加熱ガスは、多孔板２２と、この多孔板２２によって覆われている下部内周壁との間の空間を周方向及び上下方向に沿って拡散されながら、多数の通気孔２２ａを経てホッパー本体２０内に導入される。
【００２３】
なお、図例では、通気孔２２ａの形状を円形状としたものを示しているが、矩形状や楕円状、長孔状、六角形状等、他の形状とされたものとしてもよい。また、通気孔２２ａの配列態様も図例のように、ホッパー本体２０の平面視における円心を中心として放射状に配列されたものに限られず、千鳥状や並列状に配列されたものとしてもよい。さらに、このような多孔板としては、図例のようなパンチング加工によって多数の通気孔を形成したものに限られず、メッシュ状や網状の多孔板としてもよい。
また、通気孔の孔径は、粉粒体材料によっては、平均粒径から乖離した微粉状のものが含まれる場合があり、このような微粉状のものまでの通過を阻止する孔径とする必要はない。
【００２４】
さらに、この多孔板２２は、図１のように、下部内周壁の下端縁近傍から下部内周壁の１／３〜１／２程度の高さの部位までを覆うように設けるようにしてもよく、下部内周壁の概ね全体を覆うように設けるようにしてもよい。このような多孔板２２による下部内周壁を覆う度合いは、すり鉢状に形成された下部内周壁の錐面のなす立体角や、多孔板の開口率、孔径等に応じて、ホッパー本体２０内の概ね全体に加熱ガスを分散して供給し得るように設定すればよい。
さらにまた、多孔板２２の表面と、ホッパー本体２０の内周壁面とが略面一状となるように、または、多孔板２２の表面がホッパー本体２０の内周壁面よりも段落ち状に外周側に位置するように、ホッパー本体２０の内周壁を二重構造乃至は段差形状としてもよい。
【００２５】
ホッパー本体２０の円筒形状とされた上部側の上端は、上方に向けて開口しており、該上端には、該開口を気密的に封止するための蓋体２０ｃが着脱自在に設けられている。この蓋体２０ｃには、ホッパー本体２０内に開口したガス排出口２３が設けられている。このガス排出口２３に接続されたガス排出管の末端には、排出空気に含まれる粉塵や塵埃等を捕捉する集塵手段としての集塵フィルタや捕捉物を収容するダスト収容部等を備えた集塵ユニット７が設けられている。この集塵手段としては、サイクロン式フィルタやバグフィルタ等を採用するようにしてもよい。
なお、蓋体２０ｃにガス排出口２３を設ける態様に代えて、ホッパー本体２０の上部外周壁に、当該ホッパー本体２０内に開口するガス排出口を設け、これに集塵ユニット７を末端に接続したガス排出管を接続するような態様としてもよい。
【００２６】
このホッパー本体２０の上部には、ホッパー本体２０内に貯留される粉粒体材料の材料レベルを検出するためのホッパー材料センサ（レベル計）２４と、ホッパー本体２０に貯留された粉粒体材料層を通過したガスの温度を検出する検出手段としての温度センサ（材料層通過温度検出用センサ）２５とが設けられている。
本実施形態では、ホッパー材料センサ２４は、粉粒体材料の有無によるアーム部の揺動によってリミットスイッチのＯＮ／ＯＦＦがなされることにより、ホッパー本体２０内の材料レベルが、満レベルであるか、所定レベルまで低下したかを検出する態様としているが、ホッパー本体２０内の材料レベルを検出可能なものであればどのようなレベル計でもよい。
【００２７】
材料層通過温度検出用センサ２５は、本実施形態では、ホッパー本体２０内に貯留されている粉粒体材料が満レベルまで貯留されている状態において、その粉粒体材料の最上層部からホッパー本体２０の上端部を封止する蓋体２０ｃまでの空間に、その検出部が臨むように配設されている。つまり、この材料層通過温度検出用センサ２５は、ホッパー本体２０内に貯留されている粉粒体材料層の上方空間（材料非貯留空間）の雰囲気温度を測定している。
これらホッパー材料センサ２４及び材料層通過温度検出用センサ２５は、後記する制御盤８に設けられた制御部としてのＣＰＵ８０に信号線等を介して接続されている。
なお、図例では、蓋体２０ｃを貫通してホッパー材料センサ２４及び材料層通過温度検出用センサ２５を設けた例を示しているが、ホッパー本体２０の上部外周壁を貫通させて、これらを設けるような態様としてもよい。または、ガス排出口２３に接続された上記ガス排出管内に検出部が臨むように材料層通過温度検出用センサ２５を設けるようにしてもよい。
【００２８】
ホッパー本体２０の外周には、当該ホッパー本体２０の外周壁を保温乃至は加熱するホッパー外周保温部３０，２６が設けられている。本実施形態では、後記する加熱ガス供給部３の螺旋状ガス加熱部３０と、この螺旋状ガス加熱部３０を被装するように外周に設けられた断熱材２６とによってホッパー外周保温部を構成している。
断熱材２６としては、各種フォーム系（発泡系）断熱材や繊維系断熱材、樹脂系断熱材としてもよい。または、例えば、多孔質のウレタンフォーム、シリカなどの粉末若しくはグラスファイバーなどの繊維で芯材を形成し、その芯材をガスバリア性の金属フィルムなどの包装材で外装して真空吸引することにより形成された真空断熱材等としてもよい。
【００２９】
材料投入部５は、蓋体２０ｃに設置されており、本実施形態では、粉粒体材料を貯留する材料貯留タンク１１などの材料貯留部から材料輸送管１２を介して輸送される粉粒体材料を捕集する吸引式の捕集器５を例示している。
この捕集器５には、材料輸送管１２が接続される材料輸送管接続部と、ブロワーなどの材料輸送用空気源としての吸引手段に末端が接続された空気吸引管１３が接続される空気吸引管接続部とが設けられている。
【００３０】
上記構成とされた材料投入部５では、ホッパー材料センサ２４からの材料要求信号に基づいて、制御盤８に設けられたＣＰＵ８０によって制御されて、例えば、以下のように捕集、投入動作が実行される。
ホッパー材料センサ２４からの材料要求信号（ＯＦＦ信号）が出力されれば、上記材料輸送用空気源を駆動させ、または、空気吸引管１３に設けた開閉バルブなどを開放させる。これにより、材料貯留タンク１１に貯留された粉粒体材料が材料輸送管１２を介して捕集器５に向けて輸送され、捕集器５において捕集されてホッパー本体２０内に投入される。
上記材料輸送用空気源の駆動、若しくは、空気吸引管１３に設けた開閉バルブなどの開放を、ホッパー材料センサ２４からの材料要求信号の出力がなされている間は、継続させ、該材料要求信号が消えた後に、停止または閉止させるようにしてもよい。または、これらを予め設定された所定時間、駆動若しくは開放させるようにしてもよい。
【００３１】
なお、捕集器５の下部に、スライド式弁装置やフラップダンパーなどの開閉手段を設け、これを開閉制御することで、捕集器５において捕集した粉粒体材料を、ホッパー本体２０内に投入する態様としてもよい。
また、吸引式で輸送する態様に限られず、圧縮空気源を材料輸送用空気源として設け、圧送方式で捕集器に輸送する態様としてもよい。
【００３２】
材料排出部６は、ホッパー本体２０の下端部に設けられた材料排出管２０ａの下端部に連設されており、図例では、排出方向（排出管の軸方向）と同方向に沿って弁を移動させることにより、下端排出口を開閉するプッシュダンパー式の排出ダンパーを例示している。
この排出ダンパー６には、樹脂成形機１６等の加工機上に設置された一時貯留ホッパー１６ａに向けて粉粒体材料を輸送するための材料輸送管１４が接続される材料輸送管接続部が設けられている。この一時貯留ホッパー１６ａには、空気吸引管１５が接続されており、この空気吸引管１５の末端には、上記同様のブロワーなどの材料輸送用空気源が設けられている。また、この一時貯留ホッパー１６ａの材料投入貯留管には、成形機側材料センサ１６ｂが付設されている。
【００３３】
上記構成とされた材料排出部６では、成形機側材料センサ１６ｂからの材料要求信号に基づいて、制御盤８に設けられたＣＰＵ８０によって制御されて、例えば、以下のように排出動作が実行される。
成形機側材料センサ１６ｂから材料要求信号が出力されれば、排出ダンパー６を開放させ、上記材料輸送用空気源を駆動させ、または、空気吸引管１５に設けた開閉バルブなどを開放させる。これにより、排出ダンパー６を介してホッパー本体２０から排出される粉粒体材料が、材料輸送管１４を介して一時貯留ホッパー１６ａに向けて輸送され、この一時貯留ホッパー１６ａにおいて捕集されて材料投入貯留管内に投入される。この材料投入貯留管に投入された粉粒体材料は、樹脂成形機１６において逐次、成形品に加工されて消費（処理）される。
上記材料輸送用空気源の駆動、若しくは、空気吸引管１５に設けた開閉バルブなどの開放を、成形機側材料センサ１６ｂからの材料要求信号の出力がなされている間は、継続させ、該材料要求信号が消えた後に、停止または閉止させるようにしてもよい。または、これらを予め設定された所定時間、駆動若しくは開放させるようにしてもよい。
【００３４】
なお、上記した材料投入部５における捕集、投入動作と、材料排出部６における排出、輸送動作とが、別のタイミングでなされるように制御される場合等においては、成形機側の空気吸引管１５を、切り替え弁等を介して、捕集器側の空気吸引管１３に接続して、捕集器５への材料輸送用の空気源と、供給先としての一時貯留ホッパー１６ａへの材料輸送用の空気源とを共用するようにしてもよい。
また、材料排出部６としては、ＣＰＵ８０に信号線等を介して接続されて排出制御（作動制御乃至は開閉制御）されるものであればどのようなものでもよく、例えば、ロータリーバルブやフラップダンパー、スライドダンパー、スクリューフィーダ等としてもよい。または、スライドダンパーに計量容器を固着させて粉粒体材料の輸送量の計量が可能とされた計量（マス）ダンパーを材料排出部として採用するようにしてもよい。
【００３５】
加熱ガス供給部３は、螺旋状ガス加熱部３０と、この螺旋状ガス加熱部３０にガスを供給するとともに、流量調整部を有したガス供給部４０とを備えている。
螺旋状ガス加熱部３０は、図１及び図２に示すように、ホッパー本体２０の外周に周方向に沿って巻回されるように螺旋状に設けられた細長状のガス通気路としての螺旋状ガス管路３１と、この螺旋状ガス管路３１内に挿入された線状発熱体を有した線状ヒーター３２（図２（ｂ）参照）とを備えている。この螺旋状ガス加熱部３０は、上述のように、本実施形態では、ホッパー外周保温部を構成し、その線状ヒーター３２がホッパー外周保温部の加熱手段としても機能する。
この螺旋状ガス管路３１の末端には、図２（ｂ）に示すように、ホッパー本体２０の内周壁開口２１に連通する接続部が接続されており、この接続部には、当該螺旋状ガス加熱部３０の出口側のガスの温度、つまり、ホッパー本体２０に導入されるガスの温度を検出するためのガス温度センサ３３が設けられている。
【００３６】
螺旋状ガス管路３１は、本実施形態では、図１に示すように、ホッパー本体２０の外周側面の上端部近傍部位を基端として、ホッパー本体２０の外周側面に沿って設けられており、その上下の概ね全体に亘って配設され、その末端がホッパー本体２０の外周側面の下端部近傍部位に設けられた上記接続部に接続されている。つまり、本実施形態では、螺旋状ガス管路３１は、ホッパー本体２０の円筒形状とされた上部の外周、及び逆円錐形状とされた下部の外周の概ね全体に亘って配設されている。また、図例では、螺旋状ガス管路３１は、隣接する管路同士を比較的、近接乃至は当接させるようにして巻回されている。
この螺旋状ガス管路３１は、例えば、内径が４ｍｍ〜３０ｍｍ程度、管路長さが１ｍ〜１０ｍ程度の銅管等を螺旋状に屈曲させて形成されている。このような螺旋状ガス管路３１の内径や管路長さは、ホッパー本体２０内に導入する加熱ガスの流量やホッパー本体２０の外郭形状等に応じて設定すればよい。
また、この螺旋状ガス管路３１の基端部は、三方継手等を介して、後記するガス供給部４０のガス供給管４１に接続されており、この基端部がガス受入口となる。
【００３７】
線状ヒーター３２は、例えば、螺旋状ガス管路３１の上記基端部に設けられた三方継手等の接続口から線状発熱体を挿入し、その接続口を当該線状ヒーター３２の端子部で封止して設けられている。
この線状ヒーター３２の線状発熱体は、ニクロム線等の発熱線を、絶縁材で被覆して構成されており、螺旋状ガス管路３１内に当該螺旋状ガス管路３１の長手方向に沿って配されている。この線状ヒーター３２の線状発熱体は、螺旋状ガス管路３１の上記基端部から螺旋状ガス管路３１の長手方向の全長に亘って配設するようにしてもよく、上記基端部から、例えば、少なくとも２／３程度を超えた部位に達するまで配設するようにしてもよい。
なお、この線状ヒーター３２の線状発熱体の径は、例えば、数ｍｍ程度としてもよい。また、線状ヒーター３２の線状発熱体の長さは、螺旋状ガス管路３１の長さ未満とすればよく、粉粒体材料の種類や初期水分率等により設定される目標加熱温度や当該線状発熱体自体の発熱量等に応じて設定するようにしてもよい。
これら線状ヒーター３２と螺旋状ガス管路３１とを含んだ加熱器（ガス加熱手段）は、上記銅管内に、線状ヒーター３２の線状発熱体を挿入させた後、上記のように螺旋状に銅管を屈曲させて形成するようにしてもよい。
【００３８】
この螺旋状ガス加熱部３０の線状ヒーター３２は、ガス温度センサ３３の測定温度信号（検出温度）に基づいて、ホッパー本体２０内に供給する加熱ガスの温度が予め設定された所定の温度となるように、制御盤８に設けられたＣＰＵ８０によってＯＮ／ＯＦＦ制御またはＰＩＤ制御等の通電の制御がなされる。上記所定の温度は、粉粒体材料の種類や初期水分率等により設定される目標加熱温度、ホッパー本体２０の容量や次の処理工程（樹脂成形機１６や該樹脂成形機１６上に設置された一時貯留ホッパー１６ａ、その他の加工機等（不図示））に向けて一度に排出される排出量等に応じて設定可能であるが、例えば、８０℃〜１６０℃程度としてもよい。
【００３９】
ガス供給部４０は、ガス源としての圧縮空気源４からのガスを螺旋状ガス加熱部３０に向けて送気するガス供給管４１と、このガス供給管４１の適所に配設され、当該ガス供給管４１を送気されるガスの流量を増減させる流量調整弁とを備えている。この流量調整弁としては、制御盤８に設けられたＣＰＵ８０によって開度制御の可能なモーターバルブやダイアフラム弁などの流量調整弁としてもよい。この流量調整弁とＣＰＵ８０とによって流量調整部が構成される。
圧縮空気源４は、例えば、コンプレッサー等の圧縮機によって圧縮された空気を、アフタークーラ、ドレンセパレータ等を介して蓄える空気タンク等としてもよい。このような圧縮空気源４は、当該加熱ガス供給部３専用の圧縮空気源４を設けるようにしてもよいが、空気圧機器が設置される工場等においては、上記のような圧縮空気源４が工場設備として設けられているのが一般的であるので、その設備を利用するようにしてもよい。
なお、圧縮空気源４に圧縮空気を供給、遮断するための電磁弁などの開閉弁を設けるようにしてもよい。
【００４０】
この圧縮空気源４に一端が接続されたガス供給管４１には、圧縮空気源４から他端側に向けて、調質ユニット４１ａと、ドライヤー４１ｂとがこの順に配設されている。
調質ユニット４１ａとしては、圧縮空気（コンプレッサーエアー）の圧力を調整するためのレギュレータや塵埃等を捕捉するためのフィルタ、ミスト状のオイル等を捕捉するためのマイクロミストセパレータ（オイルミストフィルタ）等を備えたものとしてもよい。
ドライヤー４１ｂは、上記コンプレッサーエアーを適度に乾燥させるためのものであって、例えば、中空糸膜式のドライヤー等、簡易型のドライヤーとしてもよい。このドライヤー４１ｂを通過したコンプレッサーエアーの露点は、例えば、−１０℃〜−４０℃程度の比較的、低露点となるようにしてもよい。
【００４１】
制御盤８は、クロックタイマー等の計時手段や演算処理部を有し、当該乾燥装置１の上記した各機器及び各部を所定のプログラムに従って制御するＣＰＵ８０と、このＣＰＵ８０に信号線等を介してそれぞれ接続された操作パネル及び記憶部とを備えている。このＣＰＵ８０には、信号線等を介して、上記した各機器、各種センサ等が接続されている。
操作パネルは、各種設定操作や、後記する事前設定入力項目などを設定、入力したり、各種設定条件や、各種運転モードなどを表示したりするための表示操作部を構成する。
記憶部は、各種メモリ等から構成されており、操作パネルの操作により設定、入力された設定条件や入力値、後記する基本動作や上述の投入動作及び排出動作などの種々の動作を実行するための制御プログラムなどの各種プログラム、予め設定された各種動作条件や各種データテーブル等が格納される。
【００４２】
次に、上記構成とされた本実施形態に係る乾燥装置１において実行される基本動作の一例を説明する。
＜材料初期投入工程＞
当該乾燥装置１の起動時等において、ホッパー本体２０内に粉粒体材料が貯留されていない状態（空状態）の場合は、材料初期投入工程を実行する。
すなわち、上記したように、ホッパー材料センサ２４からの材料要求信号が消えるまで、材料投入部としての捕集器５において材料貯留タンク１１からの粉粒体材料を捕集し、ホッパー本体２０内に投入する。
なお、ホッパー本体２０内に粉粒体材料が貯留されている場合は、当該材料初期投入工程の実行は不要である。
【００４３】
＜初期運転工程＞
上記のようにホッパー本体２０に所定量の粉粒体材料を貯留させた後、初期運転工程を実行する。この初期運転工程は、ホッパー本体２０に貯留された粉粒体材料を、所定程度にまで昇温させるとともに、少なくとも下層部に位置する排出量に応じた粉粒体材料の加熱乾燥処理が十分になされるまで（所定の温度、水分率（含水率）になるまで）実行され、粉粒体材料のホッパー本体２０への上記投入動作、及びホッパー本体２０からの上記排出動作がなされない工程である。
この初期運転工程では、ガス供給部４０から螺旋状ガス加熱部３０に向けてガスを供給し、線状ヒーター３２を起動させて、加熱したガスを、ホッパー本体２０内に導入させる。
【００４４】
この際、加熱ガス供給部３の螺旋状ガス加熱部３０は、ホッパー本体２０の外周に沿って設けられているので、ホッパー本体２０の放熱を防止しながら、ホッパー本体２０、つまり、筐体を加熱する。また、上記のように所定温度に加熱された加熱ガスが、内周壁開口２１及び多孔板２２を経て、ホッパー本体２０内に分散して供給される。つまり、外周から加熱されたホッパー本体２０の内周壁からの熱伝導と、下端部から供給された加熱ガスとによって、ホッパー本体２０内に貯留された粉粒体材料が加熱乾燥処理される。
【００４５】
上記加熱ガスを導入することによって、材料層を通過したガスの温度、つまり、材料層通過温度検出用センサ２５の検出温度は、室温（外気温）程度の低い温度から徐々に上昇する。この材料層通過ガスの温度が、予め設定された所定の閾値を上回れば、上記流量調整弁の開度を変更制御し、螺旋状ガス加熱部３０に向けて供給するガスの流量を減少させるようにしてもよい。つまり、ホッパー本体２０内に導入させる加熱ガスの流量を減少させるようにしてもよい。
このように、本実施形態では、上記材料層を通過したガスの温度を、ホッパー本体２０内における粉粒体材料の加熱乾燥処理状態を示す所定の制御要因とし、この温度によって、粉粒体材料の加熱乾燥処理状態を推定し、ホッパー本体２０内に導入させる加熱ガスの流量を増減するようにしている。
上記所定の閾値は、粉粒体材料の種類や初期水分率等により設定される目標加熱温度、ホッパー本体２０の容量や次の処理工程に向けて一度に排出される排出量等に応じて実験的乃至は経験的に設定するようにすればよく、例えば、４０℃〜１２０℃程度としてもよい。
【００４６】
また、上記流量調整弁の開度制御は、上記材料層通過温度が上記閾値を上回った後、閾値を下回るまでは、ガス供給管４１を送気されるガスの流量を漸減させるように、開度を徐々に減少制御する態様としてもよい。また、ガス供給管４１を送気されるガスの下限流量を設定しておくようにしてもよい。
上記のように、ホッパー本体２０内に導入される加熱ガスの流量が減少すれば、昇温途中にあるホッパー本体２０内の粉粒体材料（特に上層部の粉粒体材料）に熱エネルギーを奪われ、上記材料層を通過したガスの温度が徐々に低下する。そして、このガスの温度が、上記閾値を下回れば、上記流量調整弁の開度を変更制御し、螺旋状ガス加熱部３０に向けて供給するガスの流量を増加させるようにしてもよい。つまり、ホッパー本体２０内に導入させる加熱ガスの流量を増加させる。この際、減少させる際と同様、流量を漸増させるような開度制御、つまり、流量調整弁の開度を徐々に増加制御する態様としてもよいが、最大流量の通過が可能な開度に直ちに変更制御するような態様としてもよい。
【００４７】
この初期運転工程では、上記閾値を上回るまでは、流量の変更がなされず、ホッパー本体２０内には、初期設定時の最大風量の加熱ガスが導入され、ホッパー本体２０に貯留された粉粒体材料を迅速に昇温させることができる。
また、上記閾値を上回れば、所定の状態まで昇温したと判断し、導入するガスの流量を減少させるようにしている。これにより、省エネルギー化を図ることができる。
【００４８】
なお、この初期運転工程を実行する時間は、ホッパー本体２０の容量や排出量、粉粒体材料の種類や条件（初期水分率等）等に応じて実験的乃至は経験的に設定するようにすればよい。または、ホッパー本体２０に貯留された材料層の最下層部の温度を検出する温度センサを設け、この温度センサの測定温度信号（検出温度）に基づいて、ホッパー本体２０内の最下層部の材料が、所定の状態まで加熱乾燥処理がなされているか、否かを判別し、初期運転工程の終了を報知するような態様としてもよい。
また、上記閾値を上回ったときに、ＣＰＵ８０のタイマーなどの計時手段によるカウントを開始させ、所定時間が経過するまで当該初期運転工程を実行するような態様としてもよい。
【００４９】
また、この初期運転工程においてなされる粉粒体材料の昇温は、ホッパー本体２０に貯留された粉粒体材料の全量を、均一の温度になるまで昇温させる必要はなく、ホッパー本体２０内に貯留されている粉粒体材料の最下部から４割〜７割程度の粉粒体材料の温度が所定の温度となるように昇温させるようにすればよい。換言すれば、ホッパー本体２０の下部から導入された加熱ガスによって、ホッパー本体２０内では、上層部から下層部に向けて徐々に温度が高くなるような温度勾配を形成するように、各層が昇温され、少なくとも後記する連続運転工程を開始するまでに、その連続運転工程の際に随時、最下層から排出される所定量の粉粒体材料の加熱乾燥処理が十分になされるまで当該初期運転工程を実行するようにすればよい。
【００５０】
＜連続運転工程＞
上記のように、初期運転工程の実行がなされて、運転準備が整えば、連続運転工程に移行する。
この連続運転工程では、樹脂成形機１６の上部に設置された一時貯留ホッパー１６ａの成形機側材料センサ１６ｂからの材料要求信号（ＯＦＦ信号）を受信することによって、上記排出動作がなされ、また、ホッパー材料センサ２４からの材料要求信号（ＯＦＦ信号）を受信することによって、上記投入動作がなされる。
この投入動作によって、例えば、室温程度の新たな粉粒体材料がホッパー本体２０内に投入され、上記材料層を通過したガスの温度が急激に低下し、上記閾値を下回る。このように上記材料層を通過したガスの温度が該閾値を下回ったときには、上述のように、上記流量調整弁の開度を変更制御し、ホッパー本体２０内に導入するガスの流量を増加させる。
以下、同様に、ホッパー本体２０からの粉粒体材料の排出動作と、ホッパー本体２０への粉粒体材料の投入動作とを伴って、材料層を通過したガスの温度が上記閾値を上回れば、導入するガスの流量を減少させ、材料層を通過したガスの温度が上記閾値を下回れば、導入するガスの流量を増加させるように制御するようにしてもよい。
【００５１】
以上のように、本実施形態に係る乾燥装置１によれば、ホッパー本体２０内に貯留された粉粒体材料の加熱乾燥効率を高めながらも、省エネルギー化を図ることができる。
また、本実施形態では、ホッパー本体２０内に供給するガスを加熱する加熱器を、線状ヒーター３２を挿入した螺旋状ガス管路３１によって構成しているので、螺旋状ガス管路３１を通過するガスを、線状ヒーター３２によって効率的に加熱することができる。すなわち、螺旋状ガス管路３１内を通過するガスと線状ヒーター３２の線状発熱体とが効率的に接触し、これらの熱交換が、例えば、シーズヒーターやプレートヒーター、放熱フィン付ヒーター等の発熱体を内蔵したヒーターボックス等の加熱器と比べて、効率的になされ、該ガスを効率的に加熱することができる。このように、ガスの加熱効率を向上させることができるので、例えば、従来のヒーターボックス等の加熱器と比べて、電気容量を比較的、小さいものにでき、省電力化を図ることができる。
さらに、本実施形態では、ホッパー本体２０の外周側面に沿って設けた螺旋状ガス加熱部３０の螺旋状ガス管路３１の末端を内周壁開口２１に接続部を介して接続した構成としているので、熱損失を効果的に低減することができる。
【００５２】
さらに、上記のように螺旋状ガス管路３１内を通過するガスを線状ヒーター３２によって加熱する構成としているので、比較的、応答性を高めることができる。すなわち、螺旋状ガス管路３１内を通過する加熱対象であるガスを加熱するための発熱体が線状発熱体であるので、発熱体自体の熱容量が比較的、小さくなり、発熱体自体の昇温または降温が比較的、迅速になされる。この結果、螺旋状ガス管路３１を通過するガスの流量の増減や、外気温の変動、その他の外乱による出口側（ホッパー側）のガスの温度の変動に伴って、線状ヒーター３２への通電制御がなされることによる螺旋状ガス管路３１の出口（ホッパー本体２０内に開口する内周壁開口２１）におけるガスの温度を、比較的、迅速に所定の温度に追従させることができる。すなわち、オーバーシュートやアンダーシュートなどが生じ難くなり、ホッパー本体２０内に導入される加熱したガスの温度を、比較的、安定した温度にコントロールできる。従って、ホッパー本体２０内の粉粒体材料が過熱されたり、粉粒体材料に加熱不足が生じたりし難く、効率的な加熱乾燥処理を実行することができる。
【００５３】
つまりは、従来のヒーターボックス型の加熱器を採用し、ホッパー本体内に供給する加熱ガスの流量を増減させる制御を実行する場合において、特に、比較的、小流量のガスを加熱する際には、ボックス内に導入されたガスがボックス内に配されたシーズヒーター等の発熱体の全体に均一に接触せず、つまり、全体との熱交換がなされず、該発熱体の一部に接触して短絡経路を辿るようにして導出されることが考えられる。この結果、該発熱体に局所的な過熱が生じる場合があり、該発熱体が損傷することも考えられる。また、このように局所的な過熱が生じた状態で、流量を増加させれば、出口側の温度が所定温度よりも急激に上昇する（オーバーシュート）場合があり、安定的な温度コントロールが困難となることが考えられる（逆も同様の現象が生じることが考えられる）。さらに、このようなヒーターボックス型の加熱器では、ボックス内から導出側の管路へ導出される際に、圧力損失が大きくなることも考えられる。
一方、上記構成とされた本実施形態に係る乾燥装置１が備える螺旋状ガス加熱部３０によれば、上述のようなことを防止することができる。
【００５４】
さらにまた、本実施形態では、加熱ガス供給部３のガス通気路を、螺旋状に形成された螺旋状ガス管路３１としているので、ホッパー本体２０内に供給されるガスをより効率的に加熱することができるとともに小型化を図ることができる。つまり、例えば、直管状に形成されたガス通気路と比べて、螺旋状ガス管路３１による乱流作用等によってガスと線状ヒーター３２との接触効率を向上させることができるとともに、効率的に小型化を図ることができる。また、例えば、ジグザグ状にガス通気路を形成する態様も考えられるが、このようなものに比べて、螺旋状ガス管路３１とすることで、圧力損失を低減することができる。
【００５５】
また、本実施形態では、ホッパー本体２０の外周に、ホッパー外周保温部の加熱手段となる螺旋状ガス加熱部３０を設けており、この螺旋状ガス加熱部３０の基端をホッパー本体２０の上部外周に配置する一方、その末端をホッパー本体２０の外周下端部に配置した構成としている。従って、螺旋状ガス管路３１を送気されるガスは、ホッパー本体２０の外周を上部側から下部側に向けて徐々に、その管内に設けられた線状ヒーター３２によって所定温度まで昇温される。この結果、例えば、螺旋状ガス加熱部の基端及び末端を上下逆にして配置する場合と比べて、ホッパー本体２０内の特に下層側の粉粒体材料、つまり、十分に加熱処理する必要がある粉粒体材料を、内周壁からの熱伝導によって効率的に加熱することができる。
さらに、このようなホッパー本体２０の外周を保温乃至は加熱するホッパー外周保温部を設けることで、ホッパー本体２０からの放熱を防止することができるので、ホッパー本体２０内に供給する加熱ガスの熱エネルギーを効率的に粉粒体材料の加熱処理に充当させることができ、迅速かつ効率的な加熱乾燥処理を行うことができる。
【００５６】
さらにまた、上記基本動作例のように、ホッパー本体２０内における粉粒体材料の加熱乾燥処理状態を示す所定の制御要因を検出するための検出手段として材料層通過温度検出用センサ２５を設け、この温度センサ２５の検出値に基づいてＣＰＵ８０によって上記流量調整弁の開度を制御し、ホッパー本体２０内に導入する加熱ガスの流量を増減させるようにすることで、より省電力化を図ることができる。また、このように導入するガスの流量を増減させることで、過熱による粉粒体材料の劣化（酸化、やけ、分解、変色など）等を防止することもできる。
【００５７】
なお、ホッパー本体２０内に導入する加熱ガスの流量の増減は、本基本動作例のような態様に限られず、種々の態様を採用することができる。
例えば、上記のように上記流量調整弁の開度を増減させることで、供給するガスの流量を増減させる態様に代えて、ガス供給管４１を、螺旋状ガス加熱部３０の上流側において複数に分岐させ、この分岐管のうちの少なくとも一つに、ＣＰＵ８０によって制御可能な開閉弁を設け、この開閉弁を開閉制御することで、複数の分岐管の全体を通過するガスの流量を増減させる態様としてもよい。この場合、これら分岐管路の本数や各管路の径、開閉弁等のバルブ径などを所望する流量の増減幅や増減段階等に応じて設定することで、供給するガスの流量を細かく増減させることも可能となる。また、この場合、螺旋状ガス加熱部３０の出口側の温度を検出し、コントロールするための温度センサ３３や、線状ヒーター３２などの損傷を防止するために、当該装置の起動中は、常時、所定流量（例えば、比較的、小流量）のガスの通過が可能となるように分岐管を構成するようにしてもよい。
または、上記複数の分岐管路を設ける態様に加えて、これら管路のうちの少なくとも一つに上記同様の流量調整弁を設けるようにしてもよい。
【００５８】
また、本実施形態では、ガス供給部４０のガス源を、圧縮空気源としたが、ガス供給管４１に、フィルタ等を介して外気を導入するブロワーを設けたガス源としてもよい。この場合、外気を導入する態様に代えて、除湿された低露点の乾燥ガスを螺旋状ガス加熱部３０に向けて供給し得るようにしてもよい。例えば、ガス供給空気源としてのブロワーの上流側（吸い込み側）と、ガス排出口２３に接続された上記ガス排出管とを、水分を吸着する吸着体等を有した除湿ユニットを介して接続し、この除湿ユニットにおいてホッパー本体２０から排出されたガスを除湿し、加熱ガス供給部３において加熱して、ホッパー本体２０内に循環供給するような態様としてもよい。
【００５９】
さらに、上記のようにガス源をブロワーとした場合においては、このブロワーへの出力周波数を変更するインバーターを設け、上記同様、所定のプログラムに従って、制御盤８に設けられたＣＰＵ８０によってこのインバーターを制御し、ガス供給空気源としてのブロワーの回転数を変更することで、ホッパー本体２０に導入するガスの流量を増減させる態様としてもよい。つまり、インバーターによってブロワーの駆動モーターの回転数変更手段を構成し、このインバーターとＣＰＵ８０とによって流量調整部を構成するようにしてもよい。このようなインバーターとしては、例えば、商用駆動電源から入力される交流をコンバータ回路で直流に変換し、インバーター回路で所定の出力周波数及び所定の出力電圧の交流に変換する、ＶＶＶＦ（可変電圧・可変周波数）型のものとしてもよい。
【００６０】
このようなインバーター制御によるブロワーの駆動モーターの回転数変更制御の態様としては、例えば、上記材料層通過温度が上記閾値を上回り、上記閾値を下回るまでは、所定時間を経過する度に、所定値づつインバーターの出力周波数を減少させるような態様としてもよい。この所定値は、一定値に限らず、例えば、初期の段階の減少幅を大きくし、徐々に減少幅を小さくするような態様としてもよく、若しくは、その逆の態様としてもよい。また、下限周波数を設定しておくようにしてもよい。一方、上記閾値を下回れば、インバーターの出力周波数を所定値増加させるような態様としてもよい。この増加させる際の所定値は、減少させる際と同様の態様としてもよいが、所定値増加させる態様に代えて、初期出力周波数とし、上記閾値を下回ったときには、初期設定時の最大風量の加熱ガスを導入させる態様としてもよい。
さらには、ブロワーの回転数を増減させる態様としては、上記態様に限られない。例えば、直流モーターに供給する電流を変更制御することでブロワーの回転数を増減させたり、または、回転角検出手段等を設けたサーボモーターの回転数を、上記周波数に代えて、所定態様で増減させることでブロワーの回転数を増減させたりするような態様としてもよい。その他、ブロワーの回転数を変更制御可能な種々の回転数変更手段を採用し、供給するガスの流量を増減させるようにしてもよい。
【００６１】
さらにまた、ホッパー本体２０内に加熱して導入させるガスとしては、外気（大気）に限られず、窒素、アルゴンなどのガスやその他、不活性ガスとしてもよい。
また、本基本動作例のように、上記制御要因としての材料層通過ガスの温度に基づいて、加熱ガスの流量を増減制御する態様に代えて、所定量の加熱ガスを常時、供給するような態様としてもよい。
さらに、材料排出部６の排出動作をＣＰＵ８０によって常時、監視しておき、排出がなされない時間が予め設定された所定の時間を越えたときに、加熱ガスの供給を停止させる一方、次に排出動作がなされたときに、加熱ガスの供給を再開させるような制御を実行するようにしてもよい。これによれば、省エネルギー化を図ることができる。
【００６２】
さらにまた、ガス導入口（内周壁開口）を覆う多孔板を設けずに、材料排出管にガス導入口を有した接続部を設け、この接続部に螺旋状ガス管路３１の末端を接続するようにしてもよい。
また、本実施形態では、ホッパー本体２０の内部の清掃性及び貯留可能容量を高めるべく、ホッパー本体２０の内周壁を略平滑な面としているが、例えば、加熱ガス供給部３による粉粒体材料の加熱処理を補助するためや、ホッパー本体２０を補強するなどのために、仕切壁やリブ、熱伝導フィン等をホッパー本体２０の内部に設けるようにしてもよい。
さらに、本実施形態では、螺旋状ガス加熱部３０の外周を被装するように、断熱材２６を設けた例を示しているが、この断熱材２６を設けないようにしてもよい。
【００６３】
次に、本発明に係る粉粒体材料の乾燥装置の他の実施の形態について、図面を参照しながら説明する。
図３は、第２実施形態に係る粉粒体材料の乾燥装置について説明するための説明図である。
なお、上記第１実施形態との相違点について主に説明し、同様の構成については、同一符号を付し、その説明を省略または簡略に説明する。
【００６４】
本実施形態に係る粉粒体材料の乾燥装置１Ａは、ホッパー部２Ａのホッパー外周保温部、及び加熱ガス供給部３Ａの構成が上記第１実施形態とは主に異なる。
本実施形態では、図３（ａ）に示すように、ホッパー本体２０Ａの外周に、外周ヒーター２７を設け、この外周ヒーター２７を被装するように上記同様の断熱材２６を設けてホッパー外周保温部を構成した例を示している。また、本実施形態では、ホッパー本体２０Ａの外周部の温度を検出するためのホッパー外周温度検出用センサ２８を設けている。
つまり、上記第１実施形態では、加熱ガス供給部の螺旋状ガス加熱部を、ホッパー外周保温部の加熱手段として機能させた例を示したが、本実施形態では、ホッパー外周保温部専用の外周ヒーターを設けた構成としている。
【００６５】
外周ヒーター２７は、円筒形状とされたホッパー本体２０Ａの上部外周を被覆するように設けられるとともに、逆円錐形状の下部外周を被覆するように設けられており、本実施形態では、上部側を一つのバンドヒーターで構成し、下部側を二つのバンドヒーターで構成している。この外周ヒーター２７としては、ホッパー本体２０Ａの外周を被覆するように設けられるものであれば、他の面状ヒーター等、どのようなものとしてもよい。
この外周ヒーター２７は、ホッパー外周温度検出用センサ２８の測定温度信号（検出温度）に基づいて、ホッパー本体２０Ａの外周（ホッパー本体２０Ａを構成する筐体外周壁）が予め設定された所定の温度となるように、ＣＰＵ８０によってＯＮ／ＯＦＦ制御またはＰＩＤ制御等の通電の制御がなされる。上記所定の温度は、加熱処理がなされて所定温度に加熱される粉粒体材料の目標加熱温度等に応じて設定可能であり、例えば、４０℃〜１６０℃程度としてもよい。
【００６６】
このように、本実施形態では、上記第１実施形態とは異なり、ホッパー外周保温部の加熱手段を専用のものとしているが、ホッパー外周温度検出用センサ２８の検出温度に基づいて、外周ヒーター２７への通電制御を実行することで、省エネルギー化を図ることができる。つまり、装置の起動直後は、ホッパー本体２０Ａの筺体自体及びこれに貯留した粉粒体材料の温度が室温程度であるので、温度センサ２８の検出温度に基づいて通電制御される外周ヒーター２７の通電率は、比較的、高い状態である。一方、後記する加熱ガス供給部３Ａによる加熱ガスの供給によって、ホッパー本体２０Ａ内の粉粒体材料層の温度が徐々に上昇し、ホッパー本体２０Ａの外周温度も徐々に上昇するので、外周ヒーター２７の通電率は減少し、省エネルギー化を図ることができる。
【００６７】
また、本実施形態では、上記第１実施形態において説明した内周壁開口及び多孔板に代えて、図３（ｂ）に示すように、材料排出管２０ａの下部に、加熱ガス供給部の接続部を設け、この接続部に、ホッパー本体２０Ａ（材料排出管２０ａ）内に開口するガス導入口２１Ａを設けている。この接続部には、材料層最下層部温度検出用センサ２９が設けられている。この材料層最下層部温度検出用センサ２９は、ホッパー本体２０Ａ内において加熱乾燥処理される粉粒体材料の最下層部の温度を検出するために設けており、この材料層最下層部温度検出用センサ２９の測定温度信号（検出温度）に基づいて、ホッパー本体２０Ａ内の最下層部の材料が、所定の状態まで加熱乾燥処理がなされているか、否かを判別するような態様としてもよい。この場合は、例えば、所定温度未満であれば、次の処理工程への排出または移行を遅らせ、所定温度に達するように、後記する加熱ガス供給部３Ａから導入する加熱したガスの流量を増加させるような制御を実行するようにしてもよい。または、上記した材料層通過温度検出用センサ２５に代えて、この材料層最下層部温度検出用センサ２９を、粉粒体材料の加熱乾燥処理状態を示す所定の制御要因としての温度を検出するための検出手段として把握するようにしてもよい。
【００６８】
加熱ガス供給部３Ａは、本実施形態では、図３（ｂ）に示すように、螺旋状ガス加熱部３０Ａと、上記同様のガス供給部４０とを備えている。
螺旋状ガス加熱部３０Ａは、末端が三方継手等を介して材料排出管２０ａの上記接続部に接続された螺旋状ガス管路３１Ａと、この螺旋状ガス管路３１Ａに沿って配設された線状発熱体を有した線状ヒーター３２Ａとを備えている。これら螺旋状ガス管路３１Ａ及び線状ヒーター３２Ａの構成は、図３（ｃ）に示すように、上記第１実施形態と同様、螺旋状ガス管路３１Ａ内に、線状ヒーター３２Ａの線状発熱体を当該螺旋状ガス管路３１Ａの長手方向に沿って配設した構成とされている。本実施形態では、これらをホッパー本体の外周ではなく、ホッパー本体２０Ａのガス導入口２１Ａの近傍に配設している。つまり、本実施形態では、ガス通気路を、管状部材を螺旋状に屈曲させた螺旋状管路ユニット３１Ａとし、この螺旋状管路ユニット３１Ａを、ホッパー本体２０Ａの近傍に設置している。
【００６９】
この螺旋状管路ユニット３１Ａの基端には、図３（ｂ）に示すように、三方継手等を介して、ガス供給部４０のガス供給管４１が接続されている。
また、螺旋状管路ユニット３１Ａの末端が接続された三方継手には、当該螺旋状ガス加熱部３０Ａの出口側のガスの温度、つまり、ホッパー本体２０Ａに導入されるガスの温度を検出する上記同様のガス温度センサ３３が設けられており、上記同様、このガス温度センサ３３の検出温度に基づいて、線状ヒーター３２Ａへの通電制御がＣＰＵ８０によってなされる。
このような螺旋状ガス加熱部３０Ａによっても、上記第１実施形態と同様、ホッパー本体２０Ａに供給するガスの加熱効率を向上でき、省電力化が図れるとともに、そのガスの温度を、比較的、迅速に所定の温度に追従させることができる。
また、ガス通気路を、管状部材を螺旋状に屈曲させた螺旋状管路ユニット３１Ａとしているので、ガス通気路を効率的にコンパクトにでき、当該螺旋状管路ユニット３１Ａを、ホッパー本体２０Ａの極めて近接した位置に付設させるように設置することができる。従って、熱損失の低減を図ることができるとともに、メンテナンス性を向上させることができる。
【００７０】
上記構成とされた本実施形態に係る乾燥装置１Ａにおいても、上記第１実施形態において説明した乾燥装置１と同様の各種動作が実行され、同様の効果を奏する。
なお、本実施形態では、ホッパー外周温度検出用センサ２８を、ホッパー本体２０Ａの上部外周に設けた態様を例示しているが、例えば、外周ヒーター２７の設置数に応じて、外周ヒーター２７毎に、温度センサを設け、個々の温度センサの検出温度に基づいて、各外周ヒーターを制御（多点制御）するような態様としてもよい。
また、外周ヒーター２７を、ホッパー本体２０Ａの上下方向に沿って分割して複数箇所に設置し、それぞれに応じた部位に温度センサを設けて、上記同様に多点制御するようにしてもよい。
【００７１】
さらに、上記材料層通過温度が、上記閾値を上回ったときには、外周ヒーター２７への通電（給電）を停止させる一方、上記閾値を下回ったときには、外周ヒーター２７への通電を再開させるような制御を実行するようにしてもよい。
さらにまた、上記第１実施形態において説明したように、材料排出部６の排出動作をＣＰＵ８０によって常時、監視しておき、この排出動作に基づいて加熱ガスの供給制御を実行する態様では、排出がなされない時間が予め設定された所定の時間を越えたときに、加熱ガスの供給を停止させ、この停止の後、さらに予め設定された所定の時間が経過しても排出がなされないときには、外周ヒーター２７への通電を停止させるようにしてもよい。これによれば、省エネルギー化を図ることができる。そして、次に排出動作がなされたときには、加熱ガスの供給及び外周ヒーター２７への通電を再開させるような制御を実行するようにすればよい。
【００７２】
また、本実施形態では、ホッパー本体２０Ａの外周側面の上下の概ね全体に亘って外周ヒーター２７及び断熱材２６を設けた例を示しているが、ホッパー本体２０Ａの下部外周にのみ外周ヒーター２７を設けるようにしてもよく、または、外周ヒーター２７を設けずに断熱材２６のみによってホッパー外周保温部を構成するようにしてもよい。さらには、これらホッパー外周保温部を設けないようにしてもよい。
さらに、螺旋状ガス加熱部３０Ａの螺旋状管路ユニット３１Ａの外郭を被装するような断熱材を設け、放熱を防止するようにしてもよい。
さらにまた、螺旋状管路ユニット３１Ａの末端を、材料排出管２０ａに設けられた接続部に接続する態様に代えて、上記第１実施形態と同様の内周壁開口及び多孔板を設け、この内周壁開口に、螺旋状管路ユニット３１Ａの末端を接続する態様としてもよい。
【００７３】
次に、本発明に係る粉粒体材料の乾燥装置に適用される加熱ガス供給部の一変形例を図４に基づいて説明する。
なお、上記各実施形態と同様の構成については、同一符号を付し、その説明を省略または簡略に説明する。
また、本変形例（第１変形例）に係る加熱ガス供給部３Ｂは、上記各実施形態で説明した加熱ガス供給部に代えて、図４に示すように、ホッパー本体２０（２０Ａ）（図１または図３参照）に設けられたガス導入口２１（２１Ａ）に接続される。
【００７４】
本変形例に係る加熱ガス供給部３Ｂのガス加熱部３０Ｂは、上記各実施形態において説明した螺旋状のガス通気路を備えたものとは異なり、細長状で直管状のガス通気路を備えた構成とされている。
図例では、ガス加熱部３０Ｂは、二重管構造とされた二重管状加熱ユニット３０Ｂとされており、この二重管状加熱ユニット３０Ｂは、上記同様のガス供給部４０からガスが供給される外管３５と、上記同様の線状ヒーター３２Ｂが配されたガス通気路としての内直管３１Ｂとを備えている。
【００７５】
外管３５は、細長状で長尺に形成されており、ガス供給部４０のガス供給管４１が接続される接続口３６を長手方向一端部の外周部に有し、長手方向両端部が開口した構成とされている。この外管３５の長手方向一端部の開口は、内直管３１Ｂの長手方向一端部の外周に周設された鍔部３４によって封止されている。また、この外管３５の長手方向他端部の開口は、線状ヒーター３２Ｂの端子部が設置された封止蓋３７によって封止されている。
【００７６】
内直管３１Ｂは、外管３５と同様、細長状で長尺に形成されており、長手方向一端部（鍔部３４が形成された側の端部）には、上記同様のガス温度センサ３３が設けられており、このガス温度センサ３３の検出温度に基づいて、上記同様、線状ヒーター３２Ｂへの通電制御がＣＰＵ８０（図１及び図３参照）によってなされる。また、この内直管３１Ｂの一端部が、上記したようなガス導入口２１（２１Ａ）に接続されて、ホッパー本体２０（２０Ａ）に連通される。
この内直管３１Ｂは、外管３５内に、外管３５の長手方向に沿って配設されており、当該内直管３１Ｂの他端部と封止蓋３７との間にガス受入口を形成するように空隙を設けている。なお、この他端部や長手方向の適所の外周面に、外管３５の内周面との間を均等に維持する支持部を設けるようにしてもよい。
この内直管３１Ｂの他端部のガス受入口から線状ヒーター３２Ｂが挿入され、この線状ヒーター３２Ｂは、当該内直管３１Ｂの長手方向一端部近傍部位に至るまで、その長手方向に沿って配設されている。
【００７７】
上記構成とされた二重管状加熱ユニット３０Ｂを備えた加熱ガス供給部３Ｂにおいては、当該二重管状加熱ユニット３０Ｂの一端部に設けられた接続口３６から外管３５内に供給されたガスが、外管３５の内周面と内直管３１Ｂの外周面との間の空間（内管外周空間）を、他端部に向けて送気される。この際、内直管３１Ｂの外周面は、内直管３１Ｂ内に配された線状ヒーター３２Ｂによって加熱されており、上記内管外周空間を送気されるガスを伝熱によって昇温させることができる。
また、上記内管外周空間を送気されて他端部に至ったガスは、内直管３１Ｂの他端部に設けられたガス受入口から内直管３１Ｂ内に導入され、この内直管３１Ｂ内において線状ヒーター３２Ｂによって加熱されて、当該二重管状加熱ユニット３０Ｂの一端部に接続されたガス導入口２１（２１Ａ）に至り、ホッパー本体２０（２０Ａ）内に導入される。
【００７８】
このように、本変形例に係る加熱ガス供給部３Ｂによれば、ガス通気路を、直管状に形成しているため、上記各実施形態において説明した各加熱ガス供給部と比べて、嵩張るが、二重管状加熱ユニット３０Ｂは、細長状で直管状であるため、その一端部をホッパー本体２０（２０Ａ）のガス導入口２１（２１Ａ）付近に設置、または該一端部をガス導入口２１（２１Ａ）に直接的に、例えば接続部を介するのみで接続することができ、上記各例と同様、熱損失を低減することができるとともに、省電力化を図ることができる。つまり、二重管状加熱ユニット３０Ｂを、細長状としているので、設置自由度を高めることができ、その末端（一端部）をホッパー本体２０（２０Ａ）のガス導入口２１（２１Ａ）付近に設置、または該末端をガス導入口２１（２１Ａ）に接続することができる。従って、熱損失を低減することができる。
また、ガス供給部４０から供給されたガスを、二重管状加熱ユニット３０Ｂの上記内管外周空間と内直管３１Ｂ内の空間とにおいて加熱することができるので、ホッパー本体２０（２０Ａ）内に導入するガスを効率的に加熱することができる。
【００７９】
なお、このような加熱ガス供給部のガス加熱部としては、図例のような二重管状加熱ユニットに限られず、細長直管状の単管（例えば、図例の内直管のみ）によって細長状のガス通気路を構成するようにしてもよい。
または、上記各実施形態において説明した各加熱ガス供給部が備えるガス通気路を、本変形例のように二重管構造のものとしてもよい。この場合は、二重管を螺旋状に形成するようにすればよい。
また、本変形例では、二重管構造を構成する外管と内管とを概ね同長さとしたものを例示しているが、このような態様に限られない。例えば、外管を内管の長手方向途中部位（例えば、内管の長さの２／３〜１／３程度の部位）から他端部側に至るまで設けるような態様としてもよい。これによれば、外管の接続口から導入される外気などの昇温前のガスによる影響を、内管の下流側（出口側）において受け難く、加熱効率を阻害することがない。
【００８０】
次に、本発明に係る粉粒体材料の乾燥装置に適用される加熱ガス供給部の他の変形例、及びガス導入口の一変形例を図５に基づいて説明する。
なお、上記各実施形態及び第１変形例と同様の構成については、同一符号を付し、その説明を省略または簡略に説明する。
【００８１】
図５（ａ）は、第２変形例に係る加熱ガス供給部３Ｃを示し、この加熱ガス供給部３Ｃは、上記各実施形態で説明した加熱ガス供給部に代えて、ホッパー本体２０（２０Ａ）（図１及び図３参照）に設けられたガス導入口２１（２１Ａ）に接続される。
この加熱ガス供給部３Ｃは、ガス源としての圧縮空気源４からのガスを通過させるガス源側供給管４１Ａを有したガス供給部４０Ａと、このガス源側供給管４１Ａの末端に接続されたガス加熱部３０Ｃと、このガス加熱部３０Ｃの下流側（ガス導入口２１（２１Ａ）側）に設けられ、ホッパー本体２０（２０Ａ）内に加熱ガスを瞬発的に導入させて、ホッパー本体２０（２０Ａ）内を急昇圧させて、ホッパー本体２０（２０Ａ）内の粉粒体材料層に衝撃を与えてブリッジを防止するブリッジ防止手段とを備えている。
なお、図において、符号４３は、ガス源側供給管４１Ａの適所に配設された圧力調整弁であり、上記のように調質ユニット４１ａに圧力調整弁を兼ねるレギュレータを設けた場合には、これを設けないようにしてもよい。
【００８２】
ガス源側供給管４１Ａの末端に接続されたガス加熱部３０Ｃは、上記第１実施形態において説明した螺旋状ガス加熱部と同様の螺旋状ガス加熱部３０Ｃとされている。この螺旋状ガス加熱部３０Ｃの螺旋状ガス管路３１Ｃ内には、図示は省略しているが、上記同様の線状発熱体が配設されている。この螺旋状ガス加熱部３０Ｃを通過して加熱されたガスの温度は、上記同様のガス温度センサ３３によって検出され、上記同様、線状ヒーターへの通電制御がＣＰＵ８０（図１及び図３参照）によってなされる。
なお、温度センサ３３の配設箇所は、図例のように螺旋状ガス加熱部３０Ｃの末端に設ける態様に限られず、後記するガスタンク４５の下流側の管路に設けるようにしてもよい。
【００８３】
この螺旋状ガス加熱部３０Ｃの下流側に設けられたブリッジ防止手段は、螺旋状ガス加熱部３０Ｃを経て加熱された圧縮空気源４からの高圧ガスを貯留するガス貯留部としてのガスタンク４５と、このガスタンク４５の下流側に設けられた導入側供給管４２とを備えている。
ガスタンク４５は、加熱された高圧ガスの貯留が可能な耐圧性かつ耐熱性のタンクとされており、このガスタンク４５には、螺旋状ガス管路３１Ｃの末端が接続されてガスが導入される導入口と、当該ガスタンク４５の下流側の導入側供給管４２に接続される導出口とが設けられている。このガスタンク４５の外周に沿って、螺旋状ガス加熱部３０Ｃの螺旋状ガス管路３１Ｃが上記同様にして配設され、また、その外周を被装するように上記同様の断熱材４４が設けられている。このように、ガスタンク４５の外周に沿ってガスタンク４５の外周を保温乃至は加熱するタンク外周保温部を設けることで、後記するようにガスタンク４５内に貯留される高圧の加熱ガスの放熱を効果的に防止することができる。
【００８４】
このガスタンク４５の導出口に接続された導入側供給管４２は、バイパス経路を形成するように分岐され、ホッパー本体２０（２０Ａ）の導入前に合流され、その末端がガス導入口２１（２１Ａ）に連通されている。
この導入側供給管４２の分岐管のうち一方の管路（開閉導入管路）４２ａには、当該開閉導入管路４２ａを開閉する電磁弁等で構成される開閉弁４６が配設され、他方の管路（絞り導入管路）４２ｂには、流量を調整するための流量制御弁としてのニードルバルブ（絞り弁）４７が配設されている。開閉弁４６は、後記するように所定のプログラムに従ってＣＰＵ８０によって開閉制御がなされる。
【００８５】
上記各実施形態において説明したように、ホッパー本体２０（２０Ａ）に貯留された粉粒体材料は、供給先としての樹脂成形機１６などの要求に応じて所定量が排出されるが、この排出動作がなされない場合には、ホッパー本体２０（２０Ａ）に貯留された粉粒体材料に移動が生じない。特に、上記基本動作例のように加熱ガスの流量を増減させる態様とした場合には、省電力化が図れるが、従来の通気式乾燥装置のような大風量のガスを常時、供給するようなものと比べて、加熱ガスの供給量が減少する。この結果、上記排出動作が、比較的、長時間なされない場合には、加熱乾燥処理が進むに従って、粉粒体材料の種類によっては、粉粒体材料同士が付着し、塊のように固化（ブリッジ）することが考えられる。
そこで、本変形例では、以下のように定期的に高圧ガスをホッパー本体２０（２０Ａ）内に瞬発的に導入させて、ブリッジ現象を防止するようにしている。
【００８６】
高圧ガスを瞬発的に導入させる際には、まず、開閉導入管路４２ａに設けられた開閉弁４６を閉止させて、圧力調整弁４３（または調質ユニット４１ａ）によって予め設定された圧力に調整された高圧の加熱ガスをガスタンク４５内に貯留する。この際、予め所定流量（比較的、小流量）の加熱ガスが絞り導入管路４２ｂを介して通過するようにニードルバルブ４７を調整しておくようにしてもよい。これにより、ガスタンク４５内に高圧ガスを貯留させる際にも、螺旋状ガス管路３１Ｃ内をガスが送気され、螺旋状ガス加熱部３０Ｃの出口側の温度を検出し、コントロールするためのガス温度センサ３３や、当該螺旋状ガス管路３１Ｃ内に配された線状ヒーターなどの損傷を防止することができる。つまり、ニードルバルブ４７を、開閉弁４６を閉止させた際に、ガスタンク４５内に所定量、所定圧力の高圧ガスの貯留が可能で、かつ当該ニードルバルブ４７を所定流量のガスの通過が可能な程度に予め調整しておくようにしてもよい。
【００８７】
次いで、開閉導入管路４２ａに設けられた開閉弁４６を開放させれば、ガスタンク４５内に貯留された高圧ガスが、ホッパー本体２０（２０Ａ）内に瞬発的に導入され、ホッパー本体２０（２０Ａ）内が急昇圧する。この結果、ホッパー本体２０（２０Ａ）内に貯留された粉粒体材料層に衝撃が加えられ、粉粒体材料層を変動させることができる。従って、ホッパー内壁への粉粒体材料の付着や粉粒体材料の固化（ブリッジ）を防止することができる。つまり、排出動作が比較的、長時間なされない場合には、瞬発的にガスを導入させてホッパー本体２０（２０Ａ）内を急昇圧させることで、ホッパー本体２０（２０Ａ）内の粉粒体材料の固化状態を崩す、または固化を事前に防ぐことができる。
このように瞬発的に導入されるガスによる粉粒体材料層の挙動は、ホッパー本体２０（２０Ａ）内において積層状態で密に粉粒体材料が貯留されているため、その積層状態が崩れるような挙動、つまり、攪拌されるような挙動とはならず、瞬発的なガスの導入によって層全体が持ち上げられるように僅かに浮き、それによって個々の粉粒体材料が僅かに移動、変動し、固化状態を崩す、または固化を事前に防ぐことができる。
【００８８】
上記のように高圧ガスを瞬発的に導入するタイミングは、例えば、材料排出部６（図１及び図３参照）の排出動作が予め設定された所定時間を越えてなされないときに、該所定時間を経過する毎に導入させるようにしてもよい。
上記排出動作は、例えば、ＣＰＵ８０によって、材料排出部としての材料排出ダンパー６の開閉動作を監視しておくようにしてもよい。そして、排出動作がなされたときには、ＣＰＵ８０の計時手段を作動させてカウントし、次の排出動作がなされるまでの間に、上記所定時間が経過すれば、加熱された高圧ガスを、ホッパー本体２０（２０Ａ）内に瞬発的に導入させ、その後、排出動作がなされるまでは、該所定時間を経過する毎に高圧ガスを貯留させて瞬発的に導入させる動作を繰り返し実行するようにしてもよい。
【００８９】
また、例えば、上記連続運転工程に移行するまでは、開閉導入管路４２ａに設けられた開閉弁４６を開放させた状態とし、開閉導入管路４２ａを通過する比較的、大流量の加熱ガスをホッパー本体２０（２０Ａ）内に導入させる態様としてもよい。
また、上記連続運転工程では、上記材料層を通過した温度が、上記閾値を上回るまでは、上記大流量の加熱ガスを導入させる一方、上記閾値を上回ったときには、ＣＰＵ８０の計時手段を作動させてカウントし、上記閾値を下回ることなく、上記所定時間が経過すれば、開閉弁４６を閉止させてガスタンク４５に所定量の高圧ガスを貯留させた後、開閉弁４６を開放させて加熱された高圧ガスを、ホッパー本体２０（２０Ａ）内に瞬発的に導入させるようにしてもよい。つまり、上記のように排出動作を監視して、高圧ガスの導入制御を実行する態様に代えて、または加えて、材料層通過温度に基づいて、高圧ガスの導入制御を実行するようにしてもよい。
【００９０】
なお、上記のように定期的に高圧ガスをホッパー本体２０（２０Ａ）内に瞬発的に導入させるタイミング制御としては、上記した例に限られず、ホッパー本体内における粉粒体材料の変動、特に排出に伴う貯留レベルの減少を直接的または間接的に検出し得る検出手段を設け、この検出手段の検出信号が出力されてから、次に該検出信号が出力されるまでの間に、上記所定時間を越える度に、つまり、該所定時間の間隔で定期的にＣＰＵ８０の制御により、高圧ガスを瞬発的に導入させるような態様としてもよい。
上記検出手段としては、上記した材料排出部としての材料排出ダンパー６や、材料層通過温度を検出する温度センサ、若しくは樹脂成形機１６側に設けられた材料センサ１６ｂ、さらには、ホッパー本体内の粉粒体材料の貯留レベルの減少を検出し得る材料センサが挙げられ、その他、種々の検出手段を採用するようにしてもよい。
または、このように検出手段によってホッパー本体内における粉粒体材料の変動を監視する態様に代えて、高圧ガスをホッパー本体２０（２０Ａ）内に瞬発的に導入させる間隔を所定時間として予め設定しておくようにしてもよい。つまり、ホッパー本体内における粉粒体材料の変動の有無等に関わらず、予め設定された所定時間の間隔で定期的に高圧ガスを導入させるようにしてもよい。これによれば、単純な制御によりブリッジ現象を防止することができる。
【００９１】
また、上記所定時間は、粉粒体材料の種類等に応じて、上記ブリッジ現象を防止し得る程度の時間で、実験的乃至は経験的に予め設定しておくようにしてもよい。好ましくは、固化状態となる前、つまり、ブリッジが生じる前に、高圧ガスの導入がなされるような時間としてもよい。
さらに、ガスタンク４５の容量、つまりは瞬発的に導入されるガスの導入量や、ガスタンク４５とホッパー本体２０（２０Ａ）とを連通させる導入側供給管４２の内径、瞬発的に導入させるガスの圧力、ガスの導入によるホッパー内の昇圧度合いは、ホッパー本体２０（２０Ａ）に貯留される粉粒体材料の貯留量や種類、ホッパー本体２０（２０Ａ）の容量などに応じて、ホッパー本体２０（２０Ａ）内の粉粒体材料層を上記のように変動させ得る程度に設定するようにすればよい。また、この高圧ガスの導入は、例えば、１秒以内または数秒程度の瞬時になされるようにしてもよい。
【００９２】
さらにまた、上記ブリッジ防止手段を上記した流量調整部として機能させるようにしてもよい。この場合、上記材料層を通過した温度が、上記閾値を上回るまでは、開閉弁４６を開放状態とし、上記大流量の加熱ガスを導入させる一方、上記閾値を上回れば、開閉弁４６を閉止させて、上記小流量の加熱ガスを導入させるようにしてもよい。この際、上記のように排出動作を監視しておき、高圧ガスの導入制御を実行するようにしてもよい。または、上記材料層を通過した温度が、上記閾値を上回ったときには、流量を減少させるとともに、タイマーのカウントを開始させ、上記閾値を下回ることなく、上記所定時間が経過すれば、高圧ガスを導入させる一方、上記所定時間が経過するまでに、上記材料層を通過した温度が、上記閾値を下回ったときには流量を増加させるとともに、タイマーをリセットするような制御を実行するようにしてもよい。
また、本変形例では、導入側供給管４２にバイパス経路を形成するように分岐させた態様を例示しているが、開閉導入管路４２ａと、絞り導入管路４２ｂとを個別にホッパー本体２０（２０Ａ）のガス導入口２１（２１Ａ）に接続するようにしてもよく、さらには、絞り導入管路４２ｂを設けずに、開閉導入管路４２ａのみを設けるようにしてもよい。
【００９３】
図５（ｂ）は、第３変形例に係る加熱ガス供給部３Ｄを示し、この加熱ガス供給部３Ｄも上記第２変形例と同様のブリッジ防止手段を備えている。なお、上記第２変形例と同様の構成及び動作については、その説明を省略または簡略に説明する。
また、この加熱ガス供給部３Ｄは、上記各実施形態で説明した加熱ガス供給部に代えて、ホッパー本体２０（２０Ａ）に設けられたガス導入口２１（２１Ａ）に接続される。
【００９４】
この加熱ガス供給部３Ｄは、ガス加熱部の構成が上記第２変形例とは異なる。
本変形例では、ガス源側供給管４１Ａと導入側供給管４２Ａとの間に、上記第２実施形態において説明した螺旋状ガス加熱部３０Ａ、または上記第１変形例において説明した二重管状加熱ユニット３０Ｂを配設している。
また、このガス加熱部３０Ａ（３０Ｂ）の下流側に接続された導入側供給管４２Ａの開閉導入管路４２ａには、開閉弁に代えて、三方切換弁４６Ａが配設されている。この三方切換弁４６Ａの一接続口には、上記同様の断熱材４４が外周に設けられたガスタンク４５Ａが接続されている。つまり、本変形例では、ガスタンク４５Ａの外周には、螺旋状ガス管路を設けずにタンク外周保温部としての断熱材４４のみを設けた構成としている。なお、ガスタンク４５Ａの外周に、上記第２実施形態において説明したような外周ヒーターを設け、その外周に断熱材を設けてタンク外周保温部を構成するような態様としてもよい。
【００９５】
三方切換弁４６Ａの残余の二つの接続口は、開閉導入管路４２ａの上流側及び下流側にそれぞれ接続されている。
この三方切換弁４６Ａは、上記同様、所定のプログラムに従ってＣＰＵ８０によって切換制御がなされ、圧縮空気源４とガスタンク４５Ａとを連通させるガス貯留状態と、ガスタンク４５Ａとガス導入口２１（２１Ａ）とを連通させるガス導入状態とに切り換えがなされる。この切換制御によって、上記同様、ガスタンク４５Ａ内に高圧ガスを貯留させ、その貯留させた高圧ガスをホッパー本体２０（２０Ａ）内に瞬発的に導入させることができる。
上記構成とされた加熱ガス供給部３Ｄにおいても上記第２変形例と同様の動作を実行でき、上記同様、ブリッジ現象を防止することができる。
【００９６】
なお、本変形例では、開閉導入管路４２ａに三方切換弁４６Ａを配設し、その一接続口にガスタンク４５Ａを接続した例を示しているが、三方切換弁４６Ａを設けずに、ガスタンク４５Ａにガスの導入口と導出口とを設けてこれらを開閉導入管路４２ａに接続し、その導出口の下流側に上記第２変形例と同様の開閉弁を設けるような態様としてもよい。これによれば、該開閉弁を開閉制御することで、ガスタンク４５Ａへの高圧ガスの貯留とホッパー本体２０（２０Ａ）への高圧ガスの瞬発的な導入とを切り換えて実行することができる。
【００９７】
図５（ｃ）は、第４変形例に係る加熱ガス供給部３Ｅを示し、この加熱ガス供給部３Ｅも上記第２変形例及び第３変形例と同様、ブリッジ防止手段を備えている。なお、上記第２変形例と同様の構成及び動作については、その説明を省略または簡略に説明する。
また、この加熱ガス供給部３Ｅは、上記各実施形態において説明した加熱ガス供給部に加えて、さらに、ホッパー本体２０（２０Ａ）に設けられたガス導入口２１（２１Ａ）に連通接続される。つまり、本変形例に係る加熱ガス供給部３Ｅは、上記各実施形態において説明した加熱ガス供給部に加えて、ブリッジ防止手段専用として設けられる。
【００９８】
本変形例に係る加熱ガス供給部３Ｅは、ガス加熱部の構成が上記第２変形例とは異なる。
すなわち、本変形例では、加熱ガス供給部３Ｅのガス加熱部３０Ｄとして、ガスタンク４５Ｂ内にシーズヒーターやプレートヒーター等の発熱体を配設した構成とされている。
上記構成とされた加熱ガス供給部３Ｅにおいても上記第２変形例と同様の動作を実行でき、上記同様、ブリッジ現象を防止することができる。
【００９９】
なお、上記第２変形例及び第３変形例では、上記各実施形態において説明した加熱ガス供給部に代えて、ブリッジ防止手段を備えた各加熱ガス供給部を設けた態様としているが、上記第４変形例と同様、上記各実施形態において説明した加熱ガス供給部に加えて、これら第２変形例及び第３変形例において説明した加熱ガス供給部を、ブリッジ防止手段専用の加熱ガス供給部としてさらに設けるようにしてもよい。
このような場合は、上記各実施形態において説明したガス導入口の上流側に、第２変形例乃至第４変形例において説明した加熱ガス供給部を、上記各実施形態において説明した加熱ガス供給部と並列的にそれぞれ接続するようにしてもよく、若しくは、第２変形例乃至第４変形例において説明した加熱ガス供給部専用のガス導入口を別途、設けるようにしてもよい。また、この場合は、これら第２変形例乃至第４変形例において説明した加熱ガス供給部は、ブリッジ防止手段として、加熱した高圧ガスのみを上記したように所定態様で瞬発的に導入させるものとしてもよい。
【０１００】
また、ホッパー本体２０（２０Ａ）に供給する加熱ガスの温度の安定性の観点からは、上記第２変形例乃至第４変形例のように、ガスタンクの上流側にガス加熱部を設けることが望ましいが、例えば、上記第１変形例を含み、各実施形態において説明した加熱ガス供給部のガス供給部４０に代えて、これらのガス加熱部３０（３０Ａ，３０Ｂ）の上流側に、圧縮空気を貯留するガス貯留部としてのガスタンクと、このガスタンクに圧縮空気を供給する圧縮空気源と、このガスタンクの下流側に設けられた上記同様の開閉弁などを設けるような態様としてもよい。この場合において、上記のようにガス加熱部を螺旋状のガス通気路を備えたものとした場合は、螺旋状ガス管路の出口側における加熱ガスの温度が安定した所定の温度となるように、螺旋状ガス管路の管路長さを十分に長くするようにしてもよく、また、高圧ガスの圧力損失を低減するために、管路径や管路の曲率などを設定するようにしてもよい。
【０１０１】
図５（ｄ）は、上記各実施形態乃至は各変形例において説明した加熱ガス供給部の末端が接続されるガス導入口の一変形例を示し、特に、上記第２変形例乃至第４変形例において説明した加熱ガス供給部３Ｃ，３Ｄ，３Ｅを備えた乾燥装置に好適に採用されるガス導入口の例を示す。
本変形例では、ホッパー本体２０Ｂの下端部に、導入側供給管４２，４２Ａ（またはガス供給管４１）が接続されるガス導入接続部４８を設け、このガス導入接続部４８に、ガス導入口２１Ｂを設けている。
このガス導入接続部４８は、ホッパー本体２０Ｂの下端部に設けられた材料排出管２０ｄを受け入れる空間を内方に有し、材料排出管２０ｄの外周及び下端周縁との間に、加熱ガスの流通が可能な隙間を形成するようにして、材料排出管２０ｄを囲むように設けられており、これら隙間がガス導入口２１Ｂとして機能する。つまり、短管状の材料排出管２０ｄを受け入れて、この材料排出管２０ｄとガス導入接続部４８とによって二重管構造のような構成とされたガス導入部としている。
【０１０２】
上記構成とされたガス導入部では、導入側供給管４２，４２Ａ（またはガス供給管４１）を経て供給される加熱ガス（高圧ガス）は、材料排出管２０ｄの周囲を経て、材料排出管２０ｄの下端からホッパー本体２０Ｂ内に導入される。つまり、材料排出管２０ｄの下端周縁の全周から材料排出管２０ｄの内方に向けて加熱ガスを導入させることができる。
これにより、上記各実施形態において説明した各ガス導入口２１，２１Ａと比べて、加熱ガス供給部からホッパー本体に導入される加熱ガスの圧力損失を低減することができるとともに、ホッパー本体内の粉粒体材料層に対して、局部的な導入とはならず、当該ガスの吹き抜け等が生じることを防止することができる。
【０１０３】
なお、このガス導入口２１Ｂを備えたガス導入部は、上記第２変形例乃至第４変形例において説明した加熱ガス供給部３Ｃ，３Ｄ，３Ｅを備えた乾燥装置に好適に採用されるが、上記各実施形態において説明した各ガス導入口２１，２１Ａに代えて、設けるようにしてもよい。第１実施形態において説明したガス導入口２１に代えて適用する場合には、多孔板等を設けずに、螺旋状ガス管路の末端を、上記したガス導入口２１Ｂに接続するようにすればよい。
または、上述のように、第２変形例乃至は第４変形例に係る加熱ガス供給部を、上記各実施形態において説明した加熱ガス供給部に加えて設ける場合には、上記各実施形態において説明した各ガス導入口に加えて、このガス導入口２１Ｂを備えたガス導入部を設けるようにしてもよい。
【０１０４】
次に、本発明に係る粉粒体材料の乾燥装置の更に他の実施の形態について、図６に基づいて説明する。
なお、上記各実施形態との相違点について主に説明し、同様の構成については、同一符号を付し、その説明を省略または簡略に説明する。
【０１０５】
図６（ａ）は、第３実施形態に係る乾燥装置１Ｂを示し、この乾燥装置１Ｂは、ホッパー部２Ｂのホッパー外周保温部、及び加熱ガス供給部３Ｆの構成が上記各実施形態とは主に異なる。
加熱ガス供給部３Ｆは、ホッパー本体２０の逆円錐形状とされた下部の外周に周方向に沿って設けられた上記同様の螺旋状ガス加熱部３０Ｅと、上記同様のガス供給部４０とを備えている。この螺旋状ガス加熱部３０Ｅは、上記第１実施形態とは異なり、下部外周の上端近傍を基端として螺旋状ガス管路３１Ｄを巻回するように設けており、この基端に上記同様のガス供給部４０のガス供給管４１が接続されている。
また、ホッパー本体２０の円筒形状とされた上部外周には、上記同様の外周ヒーター２７を設けている。
つまり、本実施形態では、螺旋状ガス加熱部３０Ｅが、ホッパー本体２０の下部外周のホッパー外周保温部の加熱手段として機能し、外周ヒーター２７が、ホッパー本体２０の上部外周のホッパー外周保温部の加熱手段として機能する。
【０１０６】
上記構成とされた本実施形態に係る乾燥装置１Ｂにおいても、上記各実施形態と同様の各種動作が実行され、同様の効果を奏する。
なお、ホッパー本体２０の上部外周に外周ヒーター２７を設けずに、上部外周には断熱材２６のみを設けるような態様としてもよい。これによってもホッパー本体２０の下部外周、つまりは材料排出部に近い側の外周を、螺旋状ガス加熱部３０Ｅによって保温、加熱することができる。
また、ホッパー本体２０の円筒形状とされた上部と、逆円錐形状とされた下部とを、別体とし、これら上部と下部とをヒンジ等で連結するとともに、緊締具等によって開閉自在に緊締した構成としてもよい。この場合、上部側を開放させた際には、下部に設けられた螺旋状ガス加熱部３０Ｅを下部内周壁とともに、ホッパー本体２０から取り外せる構造としてもよい。これによれば、螺旋状ガス加熱部３０Ｅのメンテナンス性を向上させることができる。
さらに、図例では、螺旋状ガス加熱部３０Ｅを、ホッパー本体２０の下部外周の概ね全体に亘って、該下部外周に沿わせるように配設した例を示しているが、下部外周の一部にのみ設けるようにしてもよく、例えば下方側部位にのみ設けるようにようにしてもよい。
【０１０７】
また、二点鎖線で示すように、上記第２変形例乃至は第４変形例に係る加熱ガス供給部３Ｃ，３Ｄ，３Ｅを別途、設けるようにしてもよい（以下の第４実施形態においても同様）。この場合は、上記したガス導入口２１Ｂを備えたガス導入部をホッパー本体の下端部に設けるようにしてもよい。
または、上記したように、これら加熱ガス供給部３Ｃ，３Ｄ，３Ｅを加熱ガス供給部３Ｆと並列的に、若しくは組み合わせて設けるような態様としてもよい（以下の第４実施形態においても同様）。
【０１０８】
図６（ｂ）は、第４実施形態に係る乾燥装置１Ｃを示し、この乾燥装置１Ｃは、ホッパー部２Ｃの加熱ガス供給部３Ｇの構成が上記各実施形態とは主に異なる。
加熱ガス供給部３Ｇは、ホッパー本体２０Ｃの外周の上下の概ね全体に沿って設けられた螺旋状ガス加熱部３０Ｆと、ホッパー本体２０Ｃ内に上下に沿って設けられたガス通気管３８とを備えている。
螺旋状ガス加熱部３０Ｆの螺旋状ガス管路３１Ｅは、上記第１実施形態とは異なり、ホッパー本体２０Ｃの下端部近傍を基端とし、この基端に上記同様のガス供給部４０のガス供給管４１が接続されている。また、該基端から上部側に向けてホッパー本体２０Ｃの外周に螺旋状に巻回されており、その末端が、ホッパー本体２０Ｃの上部外周に設けられたガス通気管３８との接続部に接続されてガス通気管３８に連通している。
【０１０９】
ガス通気管３８は、ホッパー本体２０Ｃの平面視して略中央に配置され、ホッパー本体２０Ｃの内方空間において上下に設けられている。
このガス通気管３８の下端部（螺旋状ガス管路３１Ｅからのガスが送気されるガス通気路の末端部）には、加熱ガスをホッパー本体２０Ｃ内に分散して吐出する複数のガス吐出口３９が設けられている。また、この下端部は、陣笠形状乃至は円錐形状とされており、この下端部が上記同様の整流部としての先入れ先出し傘としても機能する。
また、この下端部には、ホッパー本体２０Ｃ内に吐出される加熱ガスの温度を検出する上記同様のガス温度センサ３３が設けられている。なお、螺旋状ガス管路３１Ｅの末端の接続部にガス温度センサ３３を設けるようにしてもよい。
または、図例のようにホッパー本体２０Ｃの外周に、螺旋状ガス加熱部を設ける態様に代えて、上記第２実施形態において説明した螺旋状ガス加熱部３０Ａを設け、その末端をガス通気管３８に接続するようにしてもよい。
【０１１０】
上記構成とされた本実施形態に係る乾燥装置１Ｃにおいても、上記各実施形態と同様の各種動作が実行され、同様の効果を奏する。
また、本実施形態によれば、ホッパー本体２０Ｃ内に貯留された粉粒体材料を、ガス通気管３８の下端部から吐出される加熱ガスによる直接的な加熱と、ガス通気管３８の外周及びホッパー本体２０Ｃの外周（内周壁）からの伝熱による間接的な加熱とによって、より効率的に加熱乾燥処理することができる。
なお、ホッパー本体２０Ｃの上部外周側の全体若しくは一部のみに、螺旋状ガス加熱部３０Ｆを設けた構成とし、これが設けられていない部位の外周の全体若しくは一部には、上記同様の外周ヒーターを設けるようにしてもよく、または、螺旋状ガス加熱部３０Ｆを設けない部位には断熱材のみを設ける構成としてもよい。
【０１１１】
また、本実施形態において説明したようなガス通気管をホッパー本体の内方空間において上下に設ける態様に代えて、上記第１実施形態乃至第３実施形態において説明したホッパー本体の内方空間に、例えば、放熱性の良いステンレスやアルミニウム等の金属材料で形成され、上下に長尺の中空円筒形状とされたブロック体を配設するようにしてもよい。この場合は、該ブロック体を、ホッパー本体の内周壁から円心方向に延びる複数本のハンガーアームによってホッパー本体内に宙吊り状に配置し、その外周側面とホッパー本体の内周面との間に全周に亘って略均等な隙間を設けるように配置するようにしてもよい。これによれば、ブロック体によってホッパー本体の貯留可能容量は、上記各実施形態と比べて減少するが、加熱乾燥効率を向上させることができる。すなわち、ブロック体がスペーサー部材として機能し、このブロック体の外周とホッパー本体の内周壁との間の均等空間に貯留された粉粒体材料を、下端部から供給される加熱ガスによる直接的な加熱と、ホッパー外周保温部の加熱手段による外周（内周壁）からの伝熱とによって迅速に加熱することができる。
【０１１２】
なお、上記第１実施形態、第３実施形態及び第４実施形態では、ホッパー本体の外周に設けた螺旋状ガス加熱部を、断面円形状とされたパイプ状の螺旋状ガス管路によって構成した例を示しているがこのような構成に限られない。例えば、ホッパー本体の外周部を二重壁構造とし、この二重壁の空間を区切る仕切り壁を螺旋状に設けることで、螺旋状のガス通気路を構成するような態様としてもよい。
また、上記各実施形態乃至は各変形例では、ガス通気路として、螺旋状または直管状に形成したものを例示しているが、細長状に形成され、その長手方向に沿って線状ヒーターを配設したものであれば、どのようなものでもよい。例えば、ジグザグ状に形成されたものとしてもよい。
【０１１３】
さらに、上記各実施形態では、ホッパー本体内における粉粒体材料の加熱乾燥処理状態を示す所定の制御要因を検出するための検出手段として、材料層通過温度または粉粒体材料の最下層部の温度を検出する温度センサを例示し、この温度センサの検出温度に基づいて、ホッパー本体内に供給する加熱ガスの流量の増減や加熱ガスの導入態様等を制御する態様を例示したが、このような態様に限られない。
例えば、ホッパー本体内に貯留された粉粒体材料の上層部の層内温度を検出する材料層上層部温度検出用センサを上記検出手段として設けるようにしてもよく、若しくは、ホッパー本体内に貯留された粉粒体材料の中層部の層内温度を検出する材料層中層部温度検出用センサを上記検出手段として設けるようにしてもよい。
さらには、上記のように、ホッパー本体内における粉粒体材料の加熱乾燥処理状態を示す所定の制御要因を温度とし、該温度を検出するための温度センサを設ける態様に代えて、制御要因を湿度（露点）として、該湿度（露点）を検出するための湿度（露点）センサを上記検出手段として設ける態様としてもよい。このように、制御要因を湿度（露点）とした場合には、湿度（露点）が高い側から低い側に移行する場合が検出値の上昇と把握し、湿度（露点）が低い側から高い側に移行する場合が検出値の下降と把握すればよい。
【０１１４】
さらにまた、上記各実施形態では、ホッパー本体から排出される加熱乾燥処理がなされた粉粒体材料を、材料輸送管を介して供給先に向けて空気輸送する態様を例示しているが、このような態様に限られない。例えば、上記各実施形態に係る乾燥装置のホッパー部を、樹脂成形機等の加工機の投入口に直接または一時貯留ホッパー等を介して設置するようにしてもよい。
また、上記各実施形態では、ホッパー本体に貯留された粉粒体材料は、樹脂成形機等の供給先の要求に応じて、所定量が排出される態様を示しているが、その全量を一度に排出させる態様とされたものにも本発明に係る乾燥装置の適用が可能である。
さらに、上記各実施形態及び各変形例において説明した各部構成や動作例等を、これらの機能を阻害しない限りにおいて適宜、変形し、組み合わせるようにしてもよい。
【符号の説明】
【０１１５】
１，１Ａ，１Ｂ，１Ｃ                    粉粒体材料の乾燥装置
２０，２０Ａ，２０Ｂ，２０Ｃ            ホッパー本体（ホッパー）
２１                                    内周壁開口
２２                                    多孔板
３，３Ａ，３Ｂ，３Ｃ，３Ｄ，３Ｆ，３Ｇ  加熱ガス供給部
３１，３１Ｃ，３１Ｄ，３１Ｅ            螺旋状ガス管路（ガス通気路）
３１Ａ                                  螺旋状管路ユニット（ガス通気路）
３１Ｂ                                  内直管（ガス通気路）
３２，３２Ａ，３２Ｂ                    線状ヒーター
３３                                    ガス温度センサ
３８                                    ガス通気管
３９                                    ガス吐出口
８０                                    ＣＰＵ（制御部）
【図１】
2011185528.tif 000003
【図２】
2011185528.tif 000004
【図３】
2011185528.tif 000005
【図４】
2011185528.tif 000006
【図５】
2011185528.tif 000007
【図６】
2011185528.tif 000008